【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
監視処理を実行する監視システムにおいて、
監視領域の監視に基づく第１のデータを出力する第１のセンサと、
監視領域の監視に基づく第２のデータを出力する第２のセンサと、
前記第１のセンサにより出力された前記第１のデータに基づいて、監視領域の状況の変化に伴うイベントの発生および特性を検出するイベント検出手段と、
前記イベント検出手段により検出されたイベントに関する前記第２のセンサにより出力された前記第２のデータに、前記イベントの特性を表わすデータを付加してイベント情報として記録する情報記録手段と
を備えることを特徴とする監視システム。
【請求項２】
前記情報記録手段により記録された前記第２のデータの呈示を、前記イベントの特性を表わすデータに基づき制御する呈示制御手段
をさらに備えることを特徴とする請求項１に記載の監視システム。
【請求項３】
前記呈示制御手段は、前記情報記録手段により記録された前記第２のデータの呈示を、前記イベントの特性のパターンの発生頻度に基づき制御する
ことを特徴とする請求項２に記載の監視システム。
【請求項４】
ユーザからの情報の入力を取得する入力取得手段
をさらに備えることを特徴とする請求項２に記載の監視システム。
【請求項５】
前記入力取得手段は、ユーザからの前記第２のデータの呈示のモードを指定する指令の入力を取得し、
前記呈示制御手段は、前記情報記録手段により記録された前記第２のデータの呈示を、前記ユーザからの指令の入力に基づき制御する
ことを特徴とする請求項４に記載の監視システム。
【請求項６】
前記入力取得手段は、前記呈示制御手段により制御された呈示に基づく、ユーザからの評価の入力を取得し、
前記イベントの特性を表わすデータならびに前記入力取得手段により取得されたユーザからの評価の入力に基づいて、イベント分類情報を生成するイベント分類情報生成手段と
をさらに備えることを特徴とする請求項４に記載の監視システム。
【請求項７】
前記呈示制御手段は、前記情報記録手段により記録された前記第２のデータの呈示を、前記イベント分類情報に基づき制御する
ことを特徴とする請求項６に記載の監視システム。
【請求項８】
前記入力取得手段は、前記呈示制御手段による制御に基づき呈示された前記第２のデータに対するユーザからの重要度の入力を取得し、
前記イベント分類情報生成手段は、前記イベントの特性のパターンに対して、前記重要度を対応付けたイベント分類情報を生成し、
前記呈示制御手段は、前記情報記録手段により記録された前記第２のデータの呈示を、前記イベント分類情報に記録された前記重要度に基づき制御する
ことを特徴とする請求項６に記載の監視システム。
【請求項９】
前記イベント分類情報生成手段により生成されたイベント分類情報を蓄積するイベント分類情報蓄積手段
をさらに備えることを特徴とする請求項６に記載の監視システム。
【請求項１０】
前記イベント分類情報に基づき、前記イベント検出手段により検出されたイベントに関する前記イベント情報の記録を制御するイベント記録制御手段
をさらに備えることを特徴とする請求項６に記載の監視システム。
【請求項１１】
前記入力取得手段は、前記呈示制御手段による制御に基づき呈示された前記第２のデータに対するユーザからの記録の必要性を評価する入力を取得し、
前記イベント分類情報生成手段は、前記イベントの特性を表わすデータならびに前記記録の必要性を評価する入力に基づき、イベントの記録の必要性を判定するイベント分類情報を生成し、
前記イベント記録制御手段は、前記イベント分類情報に基づき、前記イベント検出手段により検出されたイベントに関する前記イベント情報の記録を制御する
ことを特徴とする請求項１０に記載の監視システム。
【請求項１２】
前記第２のセンサにより出力された前記第２のデータを一時記録する一時記録手段をさらに備え、
前記イベント記録制御手段による制御により、前記一時記録された第２のデータを、前記情報記録手段に供給する
ことを特徴とする請求項１０に記載の監視システム。
【請求項１３】
前記第１のセンサ、前記第２のセンサ、前記イベント検出手段、および前記情報記録手段は、第１の情報処理装置、および第２の情報処理装置のいずれかに配置される
ことを特徴とする請求項１に記載の監視システム。
【請求項１４】
前記第１のセンサ、前記第２のセンサ、および前記イベント検出手段は、前記第１の情報処理装置に配置され、
前記情報記録手段は、前記第２の情報処理装置に配置される
ことを特徴とする請求項１に記載の監視システム。
【請求項１５】
センサが出力するデータに基づく監視処理を実行する監視システムの情報処理方法において、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータに、前記イベントの特性を表わすデータを付加してイベント情報として記録する情報記録ステップと
を含むことを特徴とする情報処理方法。
【請求項１６】
センサが出力するデータに基づく監視処理を実行するプログラムであって、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータに、前記イベントの特性を表わすデータを付加してイベント情報として記録する情報記録ステップと
を含むことを特徴とするコンピュータが読み取り可能なプログラムが記録されている記録媒体。
【請求項１７】
センサが出力するデータに基づく監視処理を実行するプログラムであって、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータに、前記イベントの特性を表わすデータを付加してイベント情報として記録する情報記録ステップと
をコンピュータに実行させることを特徴とするプログラム。
【請求項１８】
監視処理を実行する情報処理装置において、
監視領域の監視に基づく第１のデータを出力する第１のセンサと、
監視領域の監視に基づく第２のデータを出力する第２のセンサと、
前記第１のセンサにより出力された前記第１のデータに基づいて、監視領域の状況の変化に伴うイベントの発生および特性を検出するイベント検出手段と、
前記イベント検出手段により検出されたイベントに関する前記第２のセンサにより出力された前記第２のデータ、および前記イベントの特性を表わすデータを他の情報処理装置に送信する送信手段と
を備えることを特徴とする情報処理装置。
【請求項１９】
前記イベント検出手段により検出された前記イベントの特性、およびユーザからの指令に基づくイベント分類情報に基づいて、前記イベント検出手段により検出されたイベントに関する前記イベント情報の前記他の情報処理装置における記録を制御するイベント記録制御手段
をさらに備えることを特徴とする請求項１８に記載の情報処理装置。
【請求項２０】
前記第２のセンサにより出力された前記第２のデータを一時記録する一時記録手段をさらに備え、
前記イベント記録制御手段による制御により、前記一時記録された第２のデータを、前記他の情報処理装置に送信する
ことを特徴とする請求項１９に記載の情報処理装置。
【請求項２１】
センサが出力するデータに基づく監視処理を実行する情報処理装置の情報処理方法において、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータ、および前記イベントの特性を表わすデータを他の情報処理装置に送信する送信ステップと
を含むことを特徴とする情報処理方法。
【請求項２２】
センサが出力するデータに基づく監視処理を実行するプログラムであって、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータ、および前記イベントの特性を表わすデータを他の情報処理装置に送信する送信ステップと
を含むことを特徴とするコンピュータが読み取り可能なプログラムが記録されている記録媒体。
【請求項２３】
センサが出力するデータに基づく監視処理を実行するプログラムであって、
監視領域の監視に基づき第１のセンサから出力された第１のデータに基づいて、監視領域の状況の変化に伴うイベントの発生および特性を検出するイベント検出ステップと、
前記イベント検出ステップの処理により検出されたイベントに関する第２のセンサにより監視領域の監視に基づき出力された第２のデータ、および前記イベントの特性を表わすデータを他の情報処理装置に送信する送信ステップと
をコンピュータに実行させることを特徴とするプログラム。
【請求項２４】
監視処理を実行する情報処理装置において、
第１のセンサの監視領域の監視に基づき生成されたイベントの特性を表わすデータ、および第２のセンサの監視領域の状況の変化に伴うイベントのデータを受信する受信手段と、
前記イベントの特性を表わすデータと前記イベントのデータとを対応付けてイベント情報として記録する情報記録手段と
を備えることを特徴とする情報処理装置。
【請求項２５】
前記情報記録手段により記録された前記イベントのデータの呈示を、前記イベントの特性を表わすデータに基づき制御する呈示制御手段
をさらに備えることを特徴とする請求項２４に記載の情報処理装置。
【請求項２６】
前記呈示制御手段は、前記情報記録手段により記録された前記イベントのデータの呈示を、前記イベントの特性のパターンの発生頻度に基づき制御する
ことを特徴とする請求項２５に記載の情報処理装置。
【請求項２７】
ユーザからの情報の入力を取得する入力取得手段
をさらに備えることを特徴とする請求項２５に記載の情報処理装置。
【請求項２８】
前記入力取得手段は、ユーザからの前記イベントのデータの呈示のモードを指定する指令の入力を取得し、
前記呈示制御手段は、前記情報記録手段により記録された前記イベントのデータの呈示を、前記ユーザからの指令の入力に基づき制御する
ことを特徴とする請求項２７に記載の情報処理装置。
【請求項２９】
前記入力取得手段は、前記呈示制御手段により制御された呈示に基づく、ユーザからの評価の入力を取得し、
前記イベントの特性を表わすデータならびに前記入力取得手段により取得されたユーザからの評価の入力に基づいて、イベント分類情報を生成するイベント分類情報生成手段と
をさらに備えることを特徴とする請求項２７に記載の情報処理装置。
【請求項３０】
前記呈示制御手段は、前記情報記録手段により記録された前記イベントのデータの呈示を、前記イベント分類情報に基づき制御する
ことを特徴とする請求項２９に記載の情報処理装置。
【請求項３１】
前記入力取得手段は、前記呈示制御手段による制御に基づき呈示された前記イベントのデータに対するユーザからの重要度の入力を取得し、
前記イベント分類情報生成手段は、前記イベントの特性のパターンに対して、前記重要度を記録したイベント分類情報を生成し、
前記呈示制御手段は、前記情報記録手段により記録された前記イベントのデータの呈示を、前記イベント分類情報に記録された前記重要度に基づき制御する
ことを特徴とする請求項２９に記載の情報処理装置。
【請求項３２】
前記イベント分類情報生成手段により生成されたイベント分類情報を蓄積するイベント分類情報蓄積手段
をさらに備えることを特徴とする請求項２９に記載の情報処理装置。
【請求項３３】
前記入力取得手段は、前記呈示制御手段による制御に基づき呈示された前記イベントのデータに対するユーザからの記録の必要性を評価する入力を取得し、
前記イベント分類情報生成手段は、前記イベントの特性を表わすデータならびに前記記録の必要性を評価する入力に基づき、イベントの記録の必要性を判定するイベント分類情報を生成する
ことを特徴とする請求項２９に記載の情報処理装置。
【請求項３４】
センサが出力するデータに基づく監視処理を実行する情報処理装置の情報処理方法において、
第１のセンサの監視領域の監視に基づき生成されたイベントの特性を表わすデータ、および第２のセンサの監視領域の状況の変化に伴うイベントのデータを取得する取得ステップと、
前記イベントの特性を表わすデータと前記イベントのデータとを対応付けてイベント情報として記録する情報記録ステップと
を含むことを特徴とする情報処理方法。
【請求項３５】
センサが出力するデータに基づく監視処理を実行するプログラムであって、
第１のセンサの監視領域の監視に基づき生成されたイベントの特性を表わすデータ、および第２のセンサの監視領域の状況の変化に伴うイベントのデータを取得する取得ステップと、
前記イベントの特性を表わすデータと前記イベントのデータとを対応付けてイベント情報として記録する情報記録ステップと
を含むことを特徴とするコンピュータが読み取り可能なプログラムが記録されている記録媒体。
【請求項３６】
センサが出力するデータに基づく監視処理を実行するプログラムであって、
第１のセンサの監視領域の監視に基づき生成されたイベントの特性を表わすデータ、および第２のセンサの監視領域の状況の変化に伴うイベントのデータを取得する取得ステップと、
前記イベントの特性を表わすデータと前記イベントのデータとを対応付けてイベント情報として記録する情報記録ステップと
をコンピュータに実行させることを特徴とするプログラム。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】